(57)【要約】      （修正有）【課題】タイピングの運指を正しく矯正するためのキーボードに装着するガイドを提供する。【解決手段】文字等の入力装置であるキーボードのキーの高さよりも高い板状のガイドを、キーの溝に沿って落とし、物理的に間違った指でタイプする事を抑止する事により、運指の矯正を可能とする道具であり、簡易な脱着を可能とする脚部の機構を備え、複数のキーピッチのキーボードに対しての装着を可能とするため、任意の位置で面外に折り曲げられる機構を備える。【選択図】図１
0003225066.tif 000002
【実用新案登録請求の範囲】
【請求項１】
物理的に間違った指でタイプする事を抑止する、キーの高さよりも高い板状のガイドを指の障壁としてキーとキーの間に設ける事により、キーボードの指使いに慣れていない初心者が、キーボードの印字を確認しながらも、ついつい押しやすい指でキーをタイプしてしまう事を防ぐ事に加え、ある程度タッチタイピングに慣れてきた者で、間違った運指が癖になってしまっている場合にも、逐一キーボードを見る手間を要す事なく運指を矯正する事を可能とするガイド。
【請求項２】
隣り合ったキーの溝に差し込むように装着し、ガイドの脚部にキーの溝より少し広い弾性のある突起を設ける事により、装着した後はこれが抵抗となってタイピング中に容易に外れる事が無いものの、引き抜けばすぐに外れる容易な脱着を可能として、接着剤や特殊な穴あけ等を行わないため、キーボードを汚損する事が無い機能を有する。
【請求項３】
弾性素材や可塑性素材または複合材料など、ガイドの面外に変形する素材を使用する事で、折る位置と折る方向に自由を設け、異なったキーピッチを持つキーボードへの装着を可能とすると共に、異なった運指方法に合わせた形状での使用をも可能とする機構を有する。
【請求項４】
キーを板状のガイドで囲うため、左右のガイドの間隔が部分的に極端に狭くなり、特に最上段または最下段のキーへ指をスライドするように運指する際は、これが障害となり円滑なタイピングの妨げになってしまいかねないが、ガイドの一部分を切り欠き、高さを低くする事によってこの問題を解決し、ガイドの機能を損なう事なく円滑なタイピングを可能とする形態を有する。
【請求項５】
複数あるガイドはすべて単純な同一の形状に統一でき、キーボードに装着している時以外は、ガイドは脚部を除いて板状の平面形状を有し、ガイドの枚数は通常の運指に７枚程度で嵩張らないため、容易に持ち運ぶ事を可能とし、利用場所を選ばない利便性を有する。
【考案の詳細な説明】
【技術分野】
【０００１】
本考案は、タイピング時の間違った運指を抑止し、正しい運指に矯正するためのキーボードに装着するガイドに関するものである。
【背景技術】
【０００２】
正しい運指に慣れるまでに間違った運指を覚えてしまった場合、後からこれを矯正する事は難しい。  間違った運指はタッチタイピングの妨げになるばかりでなく、常に時間的、作業的なロスを生じさせているものの、意識して正しいタイピングの練習を継続する事は日常的な使用の範囲では困難である。  
【０００３】
また、この様な板状の運指を矯正する考案は次項の先行技術文献に示す通り、すでにいくつか提案されているが、これらは部品点数が多い事や、取り付けの方法が接着やテープ等である事により、手間の掛かる物である。  またサイズが大きく、持ち運びにくく利用機会の限られる物であり、これらが使用を開始する、または継続的に使用するにあたり、敬遠される要素となり得ていた。
【先行技術文献】
【特許文献】
【０００４】
【特許文献１】特 開 平 １１−２０３０２７ 号 公 報
【特許文献２】実 用 新 案 登 録 第３０６２２９８号 公 報
【特許文献３】実 用 新 案 登 録 第３１９３７２６号 公 報
【考案の概要】
【考案が解決しようとする課題】
【０００５】
昨今、国を挙げてプログラミング教育に力を入れているが、コンピューターの効率的な習熟のためには、素早い正確なタイピングが求められる。しかし一方で、一度間違った運指を覚えてしまうと、これを意図的に直すには、逐一キーボードを注視しながら入力を行うか、一定期間だけキーボードのタイピング練習に勤しまなければならないため、時間的、労働的負担になる。  したがって、通常の利用に供する事が可能で、かつ簡単に脱着できる機能を持たせた運指を矯正するガイドを設計する事により、利用機会を増やすと共に、効率の良い習得が可能となるため、前述の問題点が解消される事となる。
【課題を解決するための手段】
【０００６】
本考案は、同一形状の運指を矯正する板状のガイドからなり、ガイドの脚部をキーの間に落とし込むように装着し、脚部の柔らかい突出部がキーの底面に引っ掛かる事でガイドが抜けないような機構になっている。  このガイドはキーより高さが有り、間違った運指方向への指の移動を妨げる事によって正しい運指に矯正する。  また柔らかい脚部は簡単な脱着を可能とする。
【考案の効果】
【０００７】
上述のように、本考案のタイピング運指矯正ガイドは、間違った運指を妨げる事により、どの様な状況下においても物理的に正しい運指でのみのタイピングを促し、正しい運指の習得は確実に行われるため、コンピューターを使い始めた者から長年使っている者まで効果がある。  また小型で簡単に脱着できるため、使用する場所を選ばず、広く利用する事が可能である。
【図面の簡単な説明】
【０００８】
【図１】タイピング運指矯正ガイドをキーボードに装着した際の平面図である。
【図２】タイピング運指矯正ガイドの単体を斜め上方から見た立体図である。
【図３】タイピング運指矯正ガイドの単体を上から見た平面図である。
【図４】タイピング運指矯正ガイドの一部を切断した断面図である。
【図５】タイピング運指矯正ガイドを側面から見た際の矢視図（展開図）である。
【考案を実施するための形態】
【０００９】
タイピングの運指において通常決められている範囲は、図１に示す通り、最上段は数字のキー、最下段は「Ｚキー」や「カンマ」のあるキーまでとし、この範囲の運指を矯正する事を目的とする。
【実施例】
【００１０】
以下、添付図面に従って一実施例を説明する。  タイピング運指矯正ガイドの高さはキーよりも高く、この高さは間違った運指を行おうとガイドに向かって指を動かした際に容易に乗り超える事のない高さと、指に適度に抵抗する硬さを有する。  ただし、最上段または最下段のキーの配置は、図１の実装例から分かる通り、隣の段からの横ずれしている量が大きく、ガイドとガイドの間隔が一部狭くなる為、４に示す範囲は指をホームポジションから移す際の妨げにならないように、部分的にガイドを切り欠き、簡単に移動できるように高さを変えている。
【００１１】
キーピッチはキーボードの種類によって数ミリ変化する為、任意のキーピッチに合わせてガイドを折り曲げる事が出来るように、弾性素材や可塑性素材または複合材料などで、自由に面外変形を許すようにした２の範囲は広く確保されている。  ただし、１と２の素材は必ずしも異なっている必要はない。
【００１２】
タイピング運指矯正ガイドの脱着を容易にするために、キーの底面である３の脚部には変形しやすく弾性のある小さな突出部を設ける。  これにより、ガイドを差し込んで装着する際には、突出部が突出部より狭いキーとキーの間を抜け、キーの裏面で広がる事によって８の通り引っ掛かって抜けにくくなる。  また、取り外しの際には、少しの力で突出部が変形するため、容易に引き抜く事が出来るようになる。また、３も１と２の素材と必ずしも異なっている必要はない。
【００１３】
図５に示す５の破線は山折りで、６は谷折りを示しているが、上述の通り２の素材は面外変形許すため、実用時において５と６は山折りと谷折りに専用に分類されるわけではなく、図１の７の様に、他のものとは逆向きに曲げて使う事も可能としており、これによって複数の運指方法に対応する事を可能としている。
【００１４】
未使用時には、図５の矢視図（展開図）のごとく平面の板状に戻せば嵩張らず、ペンケース等に入れて持ち運ぶ事も容易にし、様々な場所で広く利用することを可能にしている。
【符号の説明】
【００１５】
１  間違った運指を妨げるための板
２  面外方向に自由に曲げることの出来る板
３  ガイドをキーボードに装着して抜けなくするための突出部
４  ガイドが正しい運指を妨げることの無いように設けられた切り欠き
５  一実装例において示す山折り線
６  一実装例において示す谷折り線
７  ２を任意方向に曲げた際の一実装例
８  ３のキーへの引っ掛かり量を示す
【図１】
0003225066.tif 000003
【図２】
0003225066.tif 000004
【図３】
0003225066.tif 000005
【図４】
0003225066.tif 000006
【図５】
0003225066.tif 000007
【手続補正書】
【提出日】令和1年9月24日(2019.9.24)
【手続補正１】
【補正対象書類名】実用新案登録請求の範囲
【補正対象項目名】全文
【補正方法】変更
【補正の内容】
【実用新案登録請求の範囲】
【請求項１】
文字等の入力装置であるキーボードのキーの高さよりも高い板状のガイドが、物理的に間違った指でタイプする事を抑止する事により、運指の矯正を可能とする道具であり、簡易な脱着を可能とする脚部の機構を備え、複数のキーピッチのキーボードに対して装着可能な面外変形機構を備えるガイド。
【請求項２】
隣り合ったキーの溝に差し込むように装着し、ガイドの脚部にキーの溝より少し広い弾性のある突起を設ける事により、装着した後はこれが抵抗となってタイピング中に容易に外れる事が無いものの、引き抜けばすぐに外れる容易な脱着を可能として、接着剤や特殊な穴あけ等を行わないため、キーボードを汚損する事が無い機能を有する事を特徴とする請求項１記載のガイド。
【請求項３】
弾性素材や可塑性素材または複合材料など、ガイドの面外に変形する素材を使用する事で、折る位置と折る方向に自由を設け、異なったキーピッチを持つキーボードへの装着を可能とすると共に、異なった運指方法に合わせた形状での使用をも可能とする機構を有する事を特徴とする請求項１記載のガイド。
【請求項４】
キーを板状のガイドで囲うため、左右のガイドの間隔が部分的に極端に狭くなり、特に最上段または最下段のキーへ指をスライドするように運指する際は、これが障害となり円滑なタイピングの妨げになってしまいかねないが、ガイドの一部分を切り欠き、高さを低くする事によってこの問題を解決し、ガイドの機能を損なう事なく円滑なタイピングを可能とする形態を有する事を特徴とする請求項１記載のガイド。
【請求項５】
複数あるガイドはすべて単純な同一の形状に統一でき、キーボードに装着している時以外は、ガイドは脚部を除いて板状の平面形状を有し、ガイドの枚数は通常の運指に７枚程度で嵩張らないため、容易に持ち運ぶ事を可能とし、利用場所を選ばない利便性を有する事を特徴とする請求項１記載のガイド。
【手続補正書】
【提出日】令和1年12月2日(2019.12.2)
【手続補正１】
【補正対象書類名】実用新案登録請求の範囲
【補正対象項目名】請求項１
【補正方法】変更
【補正の内容】
【請求項１】
文字等の入力装置であるキーボードのキーの高さよりも高い板状のガイドを、キーの溝に沿って落とし、物理的に間違った指でタイプする事を抑止する事により、運指の矯正を可能とする道具であり、簡易な脱着を可能とする脚部の機構を備え、複数のキーピッチのキーボードに対しての装着を可能とするため、任意の位置で面外に折り曲げられる機構を備える事を特徴とするガイド。